(57)【要約】【課題】従来、音楽ＣＤや映像ＤＶＤ、販売促進としてのＣＤロム等が製本に添付された書籍製造販売においては、付属添付されるＣＤロム等は封筒内入れ加工され別工程にて書籍に添付されていた。【解決手段】書籍の製本における表紙及び裏表紙となる部分にカード、ＣＤロム等の収納部を設けた製本を提供するものである。【選択図】図１
2008132744.tif 000002
【特許請求の範囲】
【請求項１】
台紙となる印刷基材に収納する固定となる形状を一つ以上糊加工し、台紙と表紙を丁合し一折上に製本したことを特徴とした書籍に収納部を設けた製本。
【請求項２】
台紙となる印刷基材に収納する固定となる形状を一つ以上糊加工し、台紙と表紙を丁合し表紙と裏表紙の間の綴じ部（背部）を設け製本したことを特徴とした請求項１記載の書籍に収納部を設けた製本。
【請求項３】
台紙となる印刷基材に収納する固定となる形状を一つ以上糊加工し、台紙と表紙を丁合し一折上に製本し、表紙又は裏表紙のいずれもしくは表紙、裏表紙の双方に製本を設けたことを特徴とした請求項１記載又は請求項２記載の書籍に収納部を設けた製本。
【発明の詳細な説明】
【発明の属する技術の分野】
【０００１】本発明は、書籍に記録媒体などの収納部を設けた製本に関するものである。
【背景技術】
【０００２】従来、ＣＤホルダー及びＣＤ付特殊折丁並びＣＤ付き本（特許公開番号Ｈ１０−８７５）が発明されていた。
【特許文献１】特許公開番号特開平１０−８７５
【発明の開示】
【発明が解決しようとする課題】
【０００３】  これには次のような欠点があった。
従来、音楽ＣＤや映像ＤＶＤ、記録媒体としてのＣＤロム等が製本に添付され販売されていた。【０００４】（イ）音楽ＣＤや映像ＤＶＤ、記録媒体としてのＣＤロム等が製本に添付された書籍製造販売においては、付属添付されるＣＤロム等は封筒内入れ加工され別工程にて書籍に添付されていた。
（ロ）音楽ＣＤや映像ＤＶＤ、記録媒体としてのＣＤロム等が製本に添付された書籍製造においては、付属添付されるＣＤロム等と製本の一体加工がなされていなかった。
（ハ）音楽ＣＤや映像ＤＶＤ、記録媒体としてのＣＤロム等が製本に添付された書籍製造においては、付属添付されるＣＤロム等は封筒内入れ加工され別工程にて書籍に添付されていたために、ＣＤロム付属添付書籍においては企画の制限があった。
本発明は、これらの問題点を解決するためになされたものである。
【課題を解決するための手段】
【０００５】台紙となる印刷基材に収納する固定となる形状を一つ以上糊加工し、台紙と表紙を丁合し一折上に製本したことを特徴とした書籍に収納部を設けた製本を提供する。【０００６】台紙となる印刷基材に収納する固定となる形状を一つ以上糊加工し、台紙と表紙を丁合し表紙と裏表紙の間の綴じ部を設け製本したことを特徴とした書籍に収納部を設けた製本。【０００７】台紙となる印刷基材に収納する固定となる形状を一つ以上糊加工し、台紙と表紙を丁合し一折上に製本し、表紙又は裏表紙のいずれもしくは表紙、裏表紙の双方に製本を設けたことを特徴とした書籍に収納部を設けた製本を提供する。
以上本発明の課題を解決するための手段として提供する。
【発明の効果】
【０００８】本発明は、音楽ＣＤや映像ＤＶＤ、記録媒体としてのＣＤロム等が製本に添付された書籍製造及び販売において、書籍の表紙と裏表紙となる部分にカード、ＣＤロム等の収納部を設けた製本を提供するものである。【０００９】本発明の効果により、音楽ＣＤや映像ＤＶＤ、記録媒体としてのＣＤロム等が製本に添付された書籍製造販売においては、付属添付されるＣＤロム等は封筒内入れ加工され別工程にて書籍に添付されていたが、書籍の表紙と裏表紙となる部分にカード、ＣＤロム等の収納部を設けた製本の提供の効果により、生産コストの削減が実現される。【００１０】本発明の効果により、音楽ＣＤや映像ＤＶＤ、記録媒体としてのＣＤロム等が製本に添付された書籍製造においては、付属添付されるＣＤロム等と製本の一体加工がなされることで生産コストの削減が実現される。【００１１】本発明の効果により、音楽ＣＤや映像ＤＶＤ、記録媒体としてのＣＤロム等が製本に添付された書籍製造においては、付属添付されるＣＤロム等は封筒内入れ加工され別工程にて書籍に添付される加工の削減が可能となり、ＣＤロム付属添付書籍においての企画の提案範囲が拡張する効果を得られる。
本発明は、以上の効果を実現するものである。
【発明を実施するための最良の形態】
【００１２】  以下、本発明の実施の形態について図１乃至図６をもちいて説明する。
図１に記載されているのは、本発明、書籍に収納部を設けた製本の実施構成を示した図で印刷基材となる台紙（１０１）の中央部に折り線（１０４ａ）を設け、折り線の反面部に印刷（１０３ｂ）を設け、反面部にＣＤロム（３０１）、フロッピー（３０２）、メモリーステック（３０３）等が固定できる約半周の凹の形状で糊部（１０２）を加工し、印刷（１０３ａ）を設けた表紙（２０１）が台紙（１０１）の糊部（１０２）により丁合接着される。
台紙（１０１）におけるＣＤロム（３０１）、フロッピー（３０２）、メモリーステック（３０３）等の固定できる約半周の凹の形状の糊部（１０２）にて表紙（２０１）と丁合接着され収納物の約半周の凹の形状の糊部（１０２）であることから、台紙の非糊部が開閉部（１０３）となり収納物の挿入取り出しとなる。【００１３】本発明の図面の記載においては、記録媒体のＣＤロム（３０１）、フロッピー（３０２）、メモリーステック（３０３）等にて記載の表示をしているが、収納物の厚みが用紙の貼り合わせによる挟み込みが可能であれば、カード、名刺、などでも使用が可能である。【００１４】本発明の印刷基材は目的と用途に応じて印刷が可能となるフイルム、不燃紙、特殊用紙等が基材として使用される。【００１５】図２に記載されているのは、前記図１に記載した本発明、収納封筒の断面構成を示した図で台紙（１０１）、糊部（１０２）、表紙（２０１）の順の構成で、台紙の粘着部における非糊部が収納物の収納及び取り出しの開閉部となる。【００１６】図３に記載されているのは前記図１、図２に記載した本発明、書籍に収納部を設けた製本の応用で印刷基材となる台紙（１０１）製本の反面部に印刷（１０３ｂ）を設け、その反面部にＣＤロム（３０１）、フロッピー（３０２）、メモリーステック（３０３）等が固定できる約半周の凹の形状で糊部（１０２）を加工し、印刷（１０３ａ）を設けた表紙（２０１）が台紙（１０１）の糊部（１０２）により丁合接着され書籍の表紙及び裏表紙となり収納部を備えた製本となり、製本の中央部に綴じる部分を設けさらに製本テープ（４０１）に製本（５０１）を接着し製本書籍として完成される。【００１７】図４に記載されているのは前記図３に記載した本発明、書籍に収納部を設けた製本の応用の断面構成を示した図で台紙（１０１）、糊部（１０２）、綴じ部による製本テープ（４０１）、表紙（２０１）の構成で製本の表紙を設け、綴じ部による製本テープ（４０１）に製本（５０１）を接着し製本書籍の断面の構成を示したものである。【００１８】図５に記載されているのは前記図４に記載した本発明、書籍に収納部を設けた製本の応用で、印刷基材となる台紙（１０１）製本の反面部に印刷（１０３ｂ）を設け、その反面部にＣＤロム（３０１）、フロッピー（３０２）、メモリーステック（３０３）等が固定できる約半周の凹の形状で糊部（１０２）を加工し、印刷（１０３ａ）を設けた表紙（２０１）が台紙（１０１）の糊部（１０２）により丁合接着され書籍の表紙及び裏表紙となり、表紙部又は裏表紙部に製本（５０１）を接着し製本書籍となる実施の形態を示したものである。【００１９】本明細の図５においては、台紙（１０１）の糊部（１０２）により丁合接着され書籍の表紙部又は裏表紙部に製本（５０１）を接着し製本書籍となる実施の形態を示したものであるが、表紙部、裏表紙部の双方に製本（５０１）を接着し製本書籍となることも可能とされる。【００２０】図６に記載されているのは、前記図５に記載した本発明、書籍に収納部を設けた製本の断面構成を示した図で印刷基材となる台紙（１０１）製本の反面部に印刷（１０３ｂ）を設け、その反面部にＣＤロム（３０１）、フロッピー（３０２）、メモリーステック（３０３）等が固定できる約半周の凹の形状で糊部（１０２）を加工し、印刷（１０３ａ）を設けた表紙（２０１）が台紙（１０１）の糊部（１０２）により丁合接着され書籍の表紙及び裏表紙となり、表紙部又は裏表紙部に製本（５０１）を接着し製本書籍となる断面を示したものである。
以上、本発明の構成で、実施において下記に示す。【００２１】本発明の実施
従来、音楽ＣＤや映像ＤＶＤ、記録媒体としてのＣＤロム等が製本に添付され販売されていたが、前記ＣＤロム等が製本に添付された書籍製造販売においては、付属添付されるＣＤロム等は封筒内入れ加工され別工程にて書籍に添付され、付属添付されるＣＤロム等と製本の一体加工がなされていなかった。【００２２】本発明は、音楽ＣＤや映像ＤＶＤ、記録媒体としてのＣＤロム等が製本に添付された書籍製造及び販売において、書籍の表紙と裏表紙となる部分にカード、ＣＤロム等の収納部を設けた製本を提供するもので、また収納部において記録媒体（メディア）のみでなく収納物の厚みが用紙の貼り合わせによる挟み込みが可能であれば、カード、名刺、などでも書籍の販売に実施される。【００２３】本発明の実施により、音楽ＣＤや映像ＤＶＤ、記録媒体としてのＣＤロム等が製本に添付された書籍製造においては、付属添付されるＣＤロム等は封筒内入れ加工され別工程にて書籍に添付される加工の削減が可能となり、ＣＤロム付属添付書籍においての企画の提案範囲が拡張する実施を得られるものである。
以上、本発明は実施される。
【産業上の利用可能性】
【００２４】本発明の産業上の利用可能性により、音楽ＣＤや映像ＤＶＤ、記録媒体としてのＣＤロム等が製本に添付された書籍製造においては、付属添付されるＣＤロム等は封筒内入れ加工され別工程にて書籍に添付される加工の削減が可能となり、ＣＤロム付属添付書籍において産業上利用される。
また、収納保管において記録媒体（メディア）のみでなく収納物の厚みが用紙の貼り合わせによる挟み込みが可能であれば、カード、名刺、などでも使用が可能であることからも書籍における販売促進の活用として産業上利用される。【００２５】本発明の産業上の利用可能性により、記録媒体、カード、名刺等の収納保管印刷物として提供が可能であることから、宣伝広告、告知表示などの必要印刷を設けることでイベント、商品宣伝、パンフレット、その他販売促進等において書籍における企画販売の提案が産業上利用される。
本発明は、以上の構成より産業上利用されるものである。
【図面の簡単な説明】
【００２６】
【図１】  本発明、書籍に収納部を設けた製本の実施の図である。
【図２】  本発明、書籍に収納部を設けた製本の断面図である。
【図３】  本発明、書籍に収納部と背綴じ部を設けた応用実施の図である。
【図４】  本発明、書籍に収納部と背綴じ部を設けた断面図である。
【図５】  本発明、書籍に収納部と製本を設けた応用実施の図である。
【図６】  本発明、書籍に収納部と製本を設けた断面図である。
【符号の説明】
【００２７】１０１．  台紙
１０２．  糊部
１０３ａ．印刷
１０３ｂ．印刷
１０４ａ．折線
１０４ｂ．折線
２０１．  表紙
３０１．  ＣＤロム
３０２．  フロッピー
３０３．  メモリーステック
４０１．  製本テープ
５０１．  製本
【図１】
2008132744.tif 000003
【図２】
2008132744.tif 000004
【図３】
2008132744.tif 000005
【図４】
2008132744.tif 000006
【図５】
2008132744.tif 000007
【図６】
2008132744.tif 000008